(57)【要約】      （修正有）【課題】構造が容易で、重量を抑え、電源を用いなくても楽譜を捲ることができる楽譜捲り装置を提供する。【解決手段】板状で楽譜を載置する譜面台６と、譜面台の楽譜より下方に、楽譜のページを捲る捲り機構１０，２０，３０，４０とを備え、捲り機構が、譜面台の左右方向に伸びるレール部１１，２１，３１，４１と、レール部上を摺動するスライド部１２，２２，３２，４２と、スライド部の一端に接続され、スライド部をレール部に沿って一端方向に付勢するバネ１４，２４，３４，４４と、一端方向に付勢されたスライド部の他端に係止し、スライド部を他端方向のレール部の端部に留め置く係止レバーと、スライド部に設けられ、レール部に対し直角に楽譜方向に伸びる細巾板状又は棒状の捲り部材とで構成する。【選択図】図１
0003148973.tif 000002
【実用新案登録請求の範囲】
【請求項１】
板状で楽譜を載置する譜面台と、
該譜面台の該楽譜より下方に、該楽譜のページを捲る捲り機構とを備え、
該捲り機構が、
該譜面台の左右方向に伸びるレール部と、
該レール部上を摺動するスライド部と、
該スライド部の一端に接続され、該スライド部を該レール部に沿って該一端方向に付勢する付勢部材と、
該一端方向に付勢された該スライド部の他端に係止し、該スライド部を該他端方向の該レール部の端部に留め置く係止レバーと、
該スライド部に設けられ、該レール部に対し直角に該楽譜方向に伸びる細巾板状又は棒状の捲り部材とからなることを特徴とする楽譜捲り装置。
【請求項２】
前記捲り機構が、前記レール部同士が平行するように複数設けられ、
前記捲り部材が他の該捲り機構のレール部の上方を通過可能に、該捲り機構同士が配設されていることを特徴とする請求項１記載の楽譜捲り装置。
【請求項３】
前記付勢部材を覆うカバーを備え、該カバーの端部が、前記スライド部の捲り端でのストッパーになっていることを特徴とする請求項１又は請求項２記載の楽譜捲り装置。
【請求項４】
前記カバーが、弾性材であることを特徴とする請求項３記載の楽譜捲り装置。
【請求項５】
前記スライド部に、操作者が指を係止する取っ手部を設けたことを特徴とする請求項１〜請求項４のいずれかに記載の楽譜捲り装置。
【請求項６】
前記捲り部材が、前記楽譜の上面方向に起立することを特徴とする請求項１〜請求項５のいずれかに記載の楽譜捲り装置。
【請求項７】
前記捲り部材が、透明であることを特徴とする請求項１〜請求項６のいずれかに記載の楽譜捲り装置。
【考案の詳細な説明】
【技術分野】
【０００１】
本考案は、楽譜を捲るための楽譜捲り装置に関する。
【背景技術】
【０００２】
従来より、楽器演奏時に用いる楽譜を、簡易な操作で捲る装置が提案されてきている。例えば、特許文献１に示す自動楽譜めくり器がある。この自動楽譜めくり器は、回転軸をモータで回すことにより、回転軸に設けられためくり棒を順次移動させることにより、ページを捲るものである。
【特許文献１】特開昭５３−１２７０３４号公報
【考案の開示】
【考案が解決しようとする課題】
【０００３】
しかしながら、従来の楽譜捲り装置は、構造が複雑であると共にモータを用いていることから重量を抑えることができず移動が困難であり、電源を準備することが困難な場所では使用することができないという問題がある。
【０００４】
本考案は、このような事情に鑑みてなされたもので、構造が容易で、重量を抑え、電源を用いなくても楽譜を捲ることができる楽譜捲り装置を提供することにある。
【課題を解決するための手段】
【０００５】
請求項１記載の楽譜捲り装置は、板状で楽譜を載置する譜面台と、譜面台の楽譜より下方に、楽譜のページを捲る捲り機構とを備え、捲り機構が、譜面台の左右方向に伸びるレール部と、レール部上を摺動するスライド部と、スライド部の一端に接続され、スライド部をレール部に沿って一端方向に付勢する付勢部材と、一端方向に付勢されたスライド部の他端に係止し、スライド部を他端方向のレール部の端部に留め置く係止レバーと、スライド部に設けられ、レール部に対し直角に楽譜方向に伸びる細巾板状又は棒状の捲り部材とからなることを特徴とする。
【０００６】
請求項２記載の楽譜捲り装置は、捲り機構が、レール部同士が平行するように複数設けられ、捲り部材が他の捲り機構のレール部の上方を通過可能に、捲り機構同士が配設されていることを特徴とする。
【０００７】
請求項３記載の楽譜捲り装置は、付勢部材を覆うカバーを備え、カバーの端部が、スライド部の捲り端でのストッパーになっていることを特徴とする。
【０００８】
請求項４記載の楽譜捲り装置は、カバーが、弾性材であることを特徴とする。
【０００９】
請求項５記載の楽譜捲り装置は、スライド部に、操作者が指を係止する取っ手部を設けたことを特徴とする。
【００１０】
請求項６記載の楽譜捲り装置は、捲り部材が、楽譜の上面方向に起立することを特徴とする。
【００１１】
請求項７記載の楽譜捲り装置は、捲り部材が、透明であることを特徴とする。
【考案の効果】
【００１２】
請求項１の考案によれば、スライド部が付勢部材の付勢力で移動することにより、捲り部材が楽譜のページを捲る構造であるため、構造が容易で、重量を抑え、電源を用いなくても楽譜を捲ることができる。
【００１３】
請求項２の考案によれば、捲り機構が、レール部同士が平行するように複数設けられ、捲り部材が他の捲り機構のレール部の上方を通過可能に、捲り機構同士が配設されていることから、複数の捲り機構を設けることができ、多くのページを捲ることを可能にすることができる。
【００１４】
請求項３の考案によれば、付勢部材を覆うカバーを備え、カバーの端部が、スライド部の捲り端でのストッパーになっていることから、部品点数を抑え、重量を抑えることができる。
【００１５】
請求項４の考案によれば、スライド部のストッパーであるカバーが、弾性材であることから、カバーにスライド部が衝突しても衝突音の発生を抑えることができる。
【００１６】
請求項５の考案によれば、スライド部に、操作者が指を係止する取っ手部を設けたことから、スライド部を移動させることが容易である。
【００１７】
請求項６の考案によれば、捲り部材が、楽譜の上面方向に起立することから、楽譜のページに捲り棒を挟むことが容易である。
【００１８】
請求項７の考案によれば、捲り部材が、透明であることから、楽譜に捲り部材が乗っていても、乗った部分の楽譜を視認することができる。
【考案を実施するための最良の形態】
【００１９】
以下、本考案の形態について図面を参照しながら具体的に説明する。本考案の形態における楽譜捲り装置は、譜面台に載置された楽譜のページを捲るものである。図１は、本考案に係る楽譜捲り装置の一例を示す正面図である。図２は、同楽譜捲り装置の動作を示す正面図である。図３は、同楽譜捲り装置の楽譜をセットした状態を示す正面図である。図４は、同楽譜捲り装置の楽譜を数頁捲った状態を示す正面図である。図５は、同楽譜捲り装置の楽譜を捲りきった状態を示す正面図である。図６は、同楽譜捲り装置の底面図である。
【００２０】
図において、本実施の形態の楽譜捲り装置１は、板状で楽譜３を載置する譜面台６と、譜面台６に載せられた楽譜３より下方に位置する楽譜３のページを捲るための捲り機構１０，２０，３０，４０とを備えている。尚、捲り機構１０，２０，３０，４０の数は、捲りたいページ数による。捲り機構１０，２０，３０，４０は、レール部１１，２１，３１，４１、スライド部１２，２２，３２，４２、捲り部材１３，２３，３３，４３、バネ１４，２４，３４，４４、カバー１５，２５，３５，４５、係止レバー１７，２７，３７，４７等から構成されている。
【００２１】
レール部１１，２１，３１，４１は、譜面台６の左右方向に伸びる、断面が上面に開口したＣ字状で、内部に棒状のスライド部１２，２２，３２，４２が摺動可能に設けられている。スライド部１２，２２，３２，４２は、一端（図においては左端に）にフック（４２ｃのみ符号を記載）を備え、そのフック（４２ｃ）に付勢部材であるバネ１４，２４，３４，４４が係止されている。また、スライド部１２，２２，３２，４２の他端の上面には、突起である係止部１２ａ，２２ａ，３２ａ，４２ａが設けられ、後述する係止レバー１７，２７，３７，４７に係止される構造となっている。また、スライド部１２，２２，３２，４２の他端付近の上面には、突起である取っ手部１２ｂ，２２ｂ，３２ｂ，４２ｂが設けられている。さらに、スライド部１２，２２，３２，４２の一端付近の上面には、透明な薄板状の捲り部材１３，２３，３３，４３が設けられている。
【００２２】
捲り部材１３，２３，３３，４３は、一端を蝶番１３ａ，２３ａ，３３ａ，４３ａを介してスライド部１２，２２，３２，４２に取り付けられており、他端が楽譜３方向に水平に伸びている。尚、捲り部材１３，２３，３３，４３は、蝶番１３ａ，２３ａ，３３ａ，４３ａにより、図６に示すように、楽譜３の上面方向に起立するようになっている。
【００２３】
スライド部１２，２２，３２，４２の一端に取り付けられたバネ１４，２４，３４，４４の他端は、譜面台６から起立するネジ１６，２６，３６，４６に係止され、バネ１４，２４，３４，４４が、スライド部１２，２２，３２，４２を、スライド部１２，２２，３２，４２の一端方向に付勢している。また、バネ１４，２４，３４，４４の上面は、弾性材であるゴム製のカバー１５，２５，３５，４５で覆われている。カバー１５，２５，３５，４５のスライド部１２，２２，３２，４２の端部が、レール部１１，２１，３１，４１に当接している。
【００２４】
係止レバー１７，２７，３７，４７は、レバー基台１８，２８，３８，４８に軸ピン（４８ａのみ符号を記載）で扇動自在に軸支され、スライド部１２，２２，３２，４２側にスライド部１２，２２，３２，４２の係止部１２ａ，２２ａ，３２ａ，４２ａに係止可能な係止部（４７ａのみ符号を記載）を備えている。
【００２５】
このような構造の捲り機構１０，２０，３０，４０が、レール部１１，２１，３１，４１を平行にするように設けられている。そして、捲り部材１３，２３，３３，４３が、他の捲り機構１０，２０，３０，４０のレール部１１，２１，３１，４１の上方を通過可能に配設されると共に、図２に示すように、捲り部材１３，２３，３３，４３が積み重なった状態でも、スライド部１２，２２，３２，４２が摺動可能な高さ関係に配設されている。
【００２６】
次に、このような構成の楽譜捲り装置１の使用方法及び動作を説明する。まず、図２に示すように、捲り機構１０，２０，３０，４０のスライド部１２，２２，３２，４２を、バネ１４，２４，３４，４４の付勢力に抗して係止レバー１７，２７，３７，４７方向に移動させ、スライド部１２，２２，３２，４２の係止部１２ａ，２２ａ，３２ａ，４２ａを係止レバー１７，２７，３７，４７の係止部（４７ａ）で係止させる。スライド部１２，２２，３２，４２を摺動させるとき、指を取っ手部１２ｂ，２２ｂ，３２ｂ，４２ｂに掛けて移動させると移動させやすい。
【００２７】
次に、図６の二点鎖線で示すように、捲り機構１０，２０，３０，４０の捲り部材１３，２３，３３，４３を起立させる。そして、譜面台６の捲り機構１０，２０，３０，４０よりも上の部分に、楽譜３を載置する。そして、楽譜３の最後に捲りたいページの後のページを開いて、そのページの上に乗せるように捲り機構１０の捲り部材１３を転倒させる。次に、最後に捲りたいページが捲り部材１３の上に乗るようにページを捲り、そのページの上に乗せるように捲り機構２０の捲り部材２３を転倒させる。次に、最後から２番目に捲りたいページが捲り部材２３の上に乗るようにページを捲り、そのページの上に乗せるように捲り機構３０の捲り部材３３を転倒させる。次に、最後から３番目に捲りたいページが捲り部材３３の上に乗るようにページを捲り、そのページの上に乗せるように捲り機構４０の捲り部材４３を転倒させる。最後に、一番最初に捲りたいページが捲り部材４３の上に乗るようにページを捲る。これにより、図３に示すように、すべての捲り部材１３，２３，３３，３４が楽譜３の捲りたいページの裏側に配置された状態になる。
【００２８】
そして、最初のページを捲りたい状態になったとき、係止レバー４７を扇動させて、スライド部４２の係止を開放し、スライド部４２をカバー４５方向に摺動させる。スライド部４２の摺動に合わせて捲り部材４３が、上に乗ったページを捲りながら移動することになる。そして、スライド部４２がカバー４５に当接して止まり、同時にページが捲られることになる。そして、次のページを捲りたい状態になったとき、係止レバー３７を扇動させて、スライド部３２の係止を開放し、スライド部３２をカバー３５方向に摺動させる。スライド部３２の摺動に合わせて捲り部材３３が、上に乗ったページを捲りながら移動することになる。そして、スライド部３２がカバー３５に当接して止まり、同時にページが捲られることになる（図４参照）。
【００２９】
さらに、次のページを捲りたい状態になったとき、係止レバー２７を扇動させて、スライド部２２の係止を開放し、スライド部２２をカバー２５方向に摺動させる。スライド部２２の摺動に合わせて捲り部材２３が、上に乗ったページを捲りながら移動することになる。そして、スライド部２２がカバー２５に当接して止まり、同時にページが捲られることになる。そして、最後のページを捲りたい状態になったとき、係止レバー１７を扇動させて、スライド部１２の係止を開放し、スライド部１２をカバー１５方向に摺動させる。スライド部１２の摺動に合わせて捲り部材１３が、上に乗ったページを捲りながら移動することになる。そして、スライド部１２がカバー１５に当接して止まり、同時にページが捲られることになる（図５参照）。このようにして、各ページが捲られる。
【００３０】
以上のように、本実施の形態の楽譜捲り装置１によれば、スライド部１２，２２，３２，４２が、付勢部材であるバネ１４，２４，３４，４４の付勢力で移動することにより、捲り部材１３，２３，３３，４３が楽譜３のページを捲る構造であるため、構造が容易で、重量を抑え、電源を用いなくても楽譜を捲ることができる。
【００３１】
また、捲り機構１０，２０，３０，４０が、レール部１１，２１，３１，４１同士が平行するように複数設けられ、捲り部材１３，２３，３３，４３が他の捲り機構１０，２０，３０，４０のレール部１１，２１，３１，４１の上方を通過可能に、捲り機構１０，２０，３０，４０同士が配設されていることから、複数の捲り機構１０，２０，３０，４０を設けることができ、多くのページを捲ることを可能にすることができる。
【００３２】
さらに、付勢部材であるバネ１４，２４，３４，４４を覆うカバー１５，２５，３５，４５を備え、カバー１５，２５，３５，４５の端部が、スライド部１２，２２，３２，４２の捲り端でのストッパーになっていることから、部品点数を抑え、重量を抑えることができる。
【００３３】
さらに、スライド部１２，２２，３２，４２のストッパーであるカバー１５，２５，３５，４５を、ゴムやスポンジのような弾性材にすることで、カバー１５，２５，３５，４５にスライド部１２，２２，３２，４２が衝突しても衝突音の発生を抑えることができる。
【００３４】
さらに、スライド部１２，２２，３２，４２に、操作者が指を係止する取っ手部１２ｂ，２２ｂ，３２ｂ，４２ｂを設けたことで、スライド部１２，２２，３２，４２を移動させることが容易である。
【００３５】
さらに、捲り部材１３，２３，３３，４３が、楽譜３の上面方向に起立することから、楽譜３のページに捲り棒を挟むことが容易である。
【００３６】
さらに、捲り部材１３，２３，３３，４３を透明にすることで、楽譜３に捲り部材１３，２３，３３，４３が乗っていても、乗った部分の楽譜３を視認することができる。尚、捲り部材１３，２３，３３，４３の形状は、板状でなく棒状でもよく、ページを捲ることができる形状であればよい。
【産業上の利用可能性】
【００３７】
以上のように、本考案によれば、構造が容易で、重量を抑え、電源を用いなくても楽譜を捲ることができる楽譜捲り装置を提供することができる。
【図面の簡単な説明】
【００３８】
【図１】本考案に係る楽譜捲り装置の一例を示す正面図である。
【図２】同楽譜捲り装置の動作を示す正面図である。
【図３】同楽譜捲り装置の楽譜をセットした状態を示す正面図である。
【図４】同楽譜捲り装置の楽譜を数頁捲った状態を示す正面図である。
【図５】同楽譜捲り装置の楽譜を捲りきった状態を示す正面図である。
【図６】同楽譜捲り装置の底面図である。
【符号の説明】
【００３９】
１・・・・・・・・・・・・・・・・・楽譜捲り装置
３・・・・・・・・・・・・・・・・・楽譜
６・・・・・・・・・・・・・・・・・譜面台
１０、２０，３０，４０・・・・・・・捲り機構
１１，２１，３１，４１・・・・・・・レール部
１２，２２，３２，４２・・・・・・・スライド部
１２ａ，２２ａ，３２ａ，４２ａ・・・係止部
１２ｂ，２２ｂ，３２ｂ，４２ｂ・・・取っ手部
１３，２３，３３，４３・・・・・・・捲り部材
１３ａ，２３ａ，３３ａ，４３ａ・・・蝶番
１４，２４，３４，４４・・・・・・・バネ
１５，２５，３５，４５・・・・・・・カバー
１６，２６，３６，４６・・・・・・・ネジ
１７，２７，３７，４７・・・・・・・係止レバー
１８，２８，３８，４８・・・・・・・レバー基台
４２ｃ・・・・・・・・・・・・・・・フック
４７ａ・・・・・・・・・・・・・・・係止部
４８ａ・・・・・・・・・・・・・・・軸ピン
【図１】
0003148973.tif 000003
【図２】
0003148973.tif 000004
【図３】
0003148973.tif 000005
【図４】
0003148973.tif 000006
【図５】
0003148973.tif 000007
【図６】
0003148973.tif 000008